(57)【要約】      （修正有）【課題】高密度繊維エリアの抗圧性能により明確な凹凸を保持し、液体の浸透を加速し残留を減らし、さらっと快適な効果を備える開孔構造を有する立体不織布を提供する。【解決手段】立体不織布には突起エリアＢと陥没エリアＡ及び開孔構造Ｄが分布する。突起エリアと陥没エリアは不織布使用表面を基準として定義される。各突起エリアから陥没エリアまでは繊維密度勾配を有し、突起エリアＢ陥没エリアへと移り変わる側縁Ｃの繊維密度は突起エリア頂部の繊維密度より高く、突起エリア頂部繊維密度の１．５-３０倍である。陥没エリアの繊維密度は突起エリア頂部繊維密度の１．５-２０倍である。突起エリアと陥没エリアの高度差は０．２ｍｍより大きい。開孔構造の１個の孔の平均面積は２０ｍｍ２より小さく、開孔率は５０％より小さい。突起エリア面積は立体不織布総面積の２０％〜８０％を占める。【選択図】図４Ａ
0003215637.tif 000002
【実用新案登録請求の範囲】
【請求項１】
開孔構造を有する立体不織布であって、突起エリアと陥没エリア及び開孔構造を有し、前記突起エリアと前記陥没エリアは、不織布使用表面を基準として定義され、
前記各突起エリアから陥没エリアまでは、繊維密度勾配を有し、即ち前記突起エリアから前記陥没エリアへと移り変わる側縁の繊維密度は、前記突起エリア頂部の繊維密度より高く、側縁の繊維密度は、前記突起エリア頂部繊維密度の１．５-３０倍で、
前記陥没エリアの繊維密度は、前記突起エリア頂部繊維密度の１．５-２０倍で、
前記突起エリアと陥没エリアの高度差は、０．２ｍｍより大きく、
前記開孔構造の１個の孔の平均面積は、２０ｍｍ２より小さく、開孔率は、５０％より小さく、
前記突起エリア面積は、立体不織布総面積の２０％〜８０％を占める
ことを特徴とする開孔構造を有する立体不織布。
【請求項２】
前記開孔構造は、突起エリア或いは／及び陥没エリアに位置する
ことを特徴とする請求項１に記載の開孔構造を有する立体不織布。
【請求項３】
前記陥没エリアは、前記突起エリアの周囲を取り囲む、
ことを特徴とする請求項１に記載の開孔構造を有する立体不織布。
【請求項４】
前記突起エリアは、前記陥没エリアの周囲を取り囲む
ことを特徴とする請求項１に記載の開孔構造を有する立体不織布。
【請求項５】
前記突起エリアと陥没エリアの高度差は０．３ｍｍより大きい
ことを特徴とする請求項１に記載の開孔構造を有する立体不織布。
【請求項６】
前記開孔構造を有する陥没エリア上の開孔方向は、前記突起エリアに沿って、前記開孔構造を有する陥没エリアへと延伸する
ことを特徴とする請求項２に記載の開孔構造を有する立体不織布。
【請求項７】
前記開孔構造を有する陥没エリア上の開孔方向は、前記陥没エリアに沿って、前記突起エリアへと延伸する開孔である
ことを特徴とする請求項２に記載の開孔構造を有する立体不織布。
【請求項８】
前記立体不織布は、表面層と少なくとも一層の底層により組成され、
前記表面層は、前記突起エリアの表面であり、
前記表面層は、疏水表面層である
ことを特徴とする請求項１に記載の開孔構造を有する立体不織布。
【請求項９】
前記開孔構造を有する突起エリア上の開孔は、突起の表面から突起の底面へと延伸する
ことを特徴とする請求項２に記載の開孔構造を有する立体不織布。
【請求項１０】
前記開孔構造を有する突起エリア上の開孔は、突起の底面から突起の表面へと延伸する
ことを特徴とする請求項２に記載の開孔構造を有する立体不織布。
【請求項１１】
前記開孔は、ロート形開孔である
ことを特徴とする請求項１に記載の開孔構造を有する立体不織布。
【考案の詳細な説明】
【技術分野】
【０００１】
本考案は開孔構造を有する立体不織布に関し、突起エリア、陥没エリア及び開孔構造を有する立体不織布に関する。
【背景技術】
【０００２】
現在不織布は生理用ナプキン或いは紙オムツ等衛生用品、拭き取り用装置等の清掃用品、及びマスク等の医療用品等領域に幅広く応用されている。
不織布と皮膚との接触の快適性を高めるため、凹凸構造を有する不織布が開発された。
該不織布は、着用者の皮膚と接触する面に、エンボス加工を施し凹凸構造を形成する。
凹凸構造が存在することで、着用者皮膚との接触面積を減らすことができ、粘着感を低下させ、或いは位置をずらすことができる。
【０００３】
該不織布は凹槽を有し、しかも大部分は親水性繊維を不織布の原材料として採用する。
親水性繊維は、体液が吸收製品表面に到達すると、迅速に湿潤し浸透するという長所を備えるが、繊維表面が高いため、体液が繊維周囲に付着しやすく、これにより体液が繊維と繊維との間に残存しやすい。
特に凸部と凹槽との間は、中空であるため、液体は凹槽底部により残存しやすく、使用者は湿っぽく、皮膚に粘りつき、さらっとしていないと感じる。
【０００４】
特に、この種の親水性の不織布を小児用紙オムツの表面層に使用する時には、さらっと感が劣るため、小児の皮膚が赤くなりやすく、湿疹等の過敏現象も出現する。
しかも、凹凸部分は、押される等外界から力を受けると、明確な凹凸効果を保持することが難しく、着用者皮膚との接触面積を減らすという目的を真に実現できていない。
【考案の概要】
【考案が解決しようとする課題】
【０００５】
前記先行技術には、小児の皮膚が赤くなりやすく、湿疹等の過敏現象が出現し、しかも凹凸部分は着用者皮膚との接触面積を減らすという目的を真に実現できていないという欠点がある。
【課題を解決するための手段】
【０００６】
本考案は明確な凹凸効果が保持でき、液体の浸透を加速して残留を減らし、浸透性能に優れ、しかもさらっとした使用感の開孔構造を有する立体不織布に関する。
【０００７】
本考案による開孔構造を有する立体不織布には、突起エリアと陥没エリア及び開孔構造が分布する。
この突起エリアと陥没エリアは、不織布使用表面を基準として定義される。
該各突起エリアから該陥没エリアまでは、繊維密度勾配を有し、即ち該突起エリアから該陥没エリアへと移り変わる側縁の繊維密度は、該突起エリア頂部の繊維密度より高く、側縁の繊維密度は、該突起エリア頂部繊維密度の１．５-３０倍である。
該陥没エリアの繊維密度は、該突起エリア頂部繊維密度の１．５-２０倍である。
該突起エリアと該陥没エリアの高度差は、０．２ｍｍより大きい。
【０００８】
該開孔構造の１個の孔の平均面積は、２０ｍｍ２より小さく、開孔率は、５０％より小さい。
【０００９】
該突起エリア面積は、立体不織布総面積の２０％〜８０％を占める。
【００１０】
該開孔構造は、該突起エリア或いは／及び陥没エリアに位置する。
【００１１】
該陥没エリアは、該突起エリアの周囲を取り囲む。
【００１２】
該突起エリアは、該陥没エリアの周囲を取り囲む。
【００１３】
該突起エリアと該陥没エリアの高度差は、０．３ｍｍより大きい。
【００１４】
該開孔構造を有する陥没エリア上の開孔方向は、該突起エリアに沿って、該開孔構造を有する陥没エリアへと延伸する。
【００１５】
該開孔構造を有する陥没エリア上の開孔方向は、該陥没エリアに沿って、該突起エリアへと延伸する開孔である。
【００１６】
該立体不織布は、表面層と少なくとも一層の底層により組成され、該表面層は、該突起エリアの表面であり、該表面層は、疏水表面層である。
【００１７】
該開孔構造を有する突起エリア上の開孔は、突起の表面から突起の底面へと延伸する。
【００１８】
該開孔構造を有する突起エリア上の開孔は、突起の底面から突起の表面へと延伸する。
【００１９】
該開孔は、ロート形開孔である。
【００２０】
本考案の突起エリア及び陥没エリア、開孔構造を有する立体不織布では、突起エリアから陥没エリアまでは、繊維密度勾配を有し、皮膚面と接触する突起エリアはまばらな繊維密度を有するため、使用者に柔軟で快適な触感を提供できる。
突起エリア側縁の高密度繊維は、より強力な抗圧能力を備えるため、立体不織布の３Ｄ視覚効果を保持できる。
不織布は、少なくとも表面層と底層により組成され、しかも使用者の皮膚と接触する面には突起エリアを有し、突起エリアと陥没エリアは表面層から底層へ、或いは底層から表面層へと開孔を有し、表面層は疎水層であるため、体液が突起エリアに到達すると、突起エリアの表面は比較的低いため、体液は突起エリア側縁に沿って開孔部位へと流れ、導流作用を備え、液体を開孔部位から迅速に浸入させることができるため、吸收製品のさらっと性能を高め、液体の迅速な吸收を促進できる。
同時に体液吸收後、突起エリアの表面層は疎水層であるため、体液が毛細管作用を通じて、孔を開けた不織布表面に戻るのを阻止し、さっぱりして快適な効果を達成する。
突起部分と開孔部分とは、０．２ｍｍより大きい高度差を備えるため、液体が陥没部分表面に戻り、使用者皮膚と接触しても、突起部分と接触するだけであるため、使用者は湿っぽさを感じることはない。
立体不織布は異なる繊維密度と繊維接着点のエリア分布を有するため、突起構造の保持及び開孔構造の保持により有利である。
【図面の簡単な説明】
【００２１】
【図１】本考案第一実施形態の立体不織布の俯瞰図である。
【図１Ａ】図１のＰ-Ｐ位置における断面図である。
【図１Ｂ】図１のＱ-Ｑ位置における断面図である。
【図１Ｃ】図１のＳ-Ｓ位置における断面図である。
【図１Ｄ】本考案立体不織布の加工模式図である。
【図１Ｅ】本考案立体不織布の加工設備模式図である。
【図２】本考案第二実施形態の断面図である。
【図３】本考案第三実施形態の立体不織布の俯瞰図である。
【図４】本考案第四実施形態の立体不織布の俯瞰図である。
【図４Ａ】図４のＰ-Ｐ位置における断面図である。
【図４Ｂ】図４のＱ-Ｑ位置における断面図である。
【図５】本考案第五実施形態の立体不織布の俯瞰図である。
【図５Ａ】図５のＰ-Ｐ位置における断面図である。
【図６】本考案第六実施形態の立体不織布の俯瞰図である。
【図６Ａ】図６のＰ-Ｐ位置における断面図である。
【図６Ｂ】図６のＱ-Ｑ位置における断面図である。
【図６Ｃ】図６のＳ-Ｓ位置における断面図である。
【図７】本考案第七実施形態の立体不織布の俯瞰図である。
【図７Ａ】図６のＰ-Ｐ位置における断面図である。
【図７Ｂ】図６のＱ-Ｑ位置における断面図である。
【図７Ｃ】図６のＳ-Ｓ位置における断面図である。
【図８】本考案第八実施形態の立体不織布の俯瞰図である。
【図８Ａ】図８のＰ-Ｐ位置における断面図である。
【図８Ｂ】図８のＱ-Ｑ位置における断面図である。
【図９】本考案第九実施形態の立体不織布の俯瞰図である。
【図９Ａ】図９のＰ-Ｐ位置における断面図である。
【図９Ｂ】図６のＱ-Ｑ位置における断面図である。
【図１０】本考案第十実施形態の立体不織布の俯瞰図である。
【図１０Ａ】図１０のＰ-Ｐ位置における断面図である。
【図１１】本考案第十一実施形態の立体不織布の俯瞰図である。
【図１１Ａ】図１１のＰ-Ｐ位置における断面図である。
【図１２】本考案第十一実施形態の立体不織布の俯瞰図である。
【図１２Ａ】図１２のＰ-Ｐの断面図である。
【図１３】本考案第十一実施形態の立体不織布の俯瞰図である。
【図１３Ａ】図１３のＰ-Ｐ位置における断面図である。
【図１４】本考案第十一実施形態の立体不織布の俯瞰図である。
【図１４Ａ】図１４のＰ-Ｐ位置における断面図である。
【図１５】本考案第十一実施形態の立体不織布の俯瞰図である。
【図１５Ａ】図１５のＰ-Ｐ位置における断面図である。
【図１６】本考案第十一実施形態の立体不織布の俯瞰図である。
【図１６Ａ】図１６のＰ-Ｐ位置における断面図である。
【図１７】本考案第十一実施形態の立体不織布の俯瞰図である。
【図１７Ａ】図１７のＰ-Ｐ位置における断面図である。
【考案を実施するための形態】
【００２２】
（一実施形態）
図１〜図１７Ａに示す通り、本考案による開孔構造を有する立体不織布には、突起エリアＢと陥没エリアＡ及び開孔構造が分布する。
この突起エリアＢと陥没エリアＡは、不織布使用表面を基準として定義される。
各突起エリアＢから陥没エリアＡまでは、繊維密度勾配を有し、即ち突起エリアＢから陥没エリアＡへと移り変わる側縁の繊維密度は、突起エリアＢ頂部の繊維密度より高く、側縁の繊維密度は、突起エリアＢ頂部繊維密度の１．５-３０倍である。
陥没エリアＡの繊維密度は、突起エリアＢ頂部繊維密度の１．５-２０倍である。
突起エリアＢと陥没エリアＡの高度差は、０．２ｍｍより大きい。
開孔構造の１個の孔の平均面積は、２０ｍｍ２より小さく、開孔率は、５０％より小さい。
突起エリア面積は、立体不織布総面積の２０％〜８０％を占める。
【００２３】
第一実施形態
図１、図１Ａ、図１Ｂ、図１Ｃに示す通り突起エリアを有し、及び陥没エリアに開孔構造を有する立体不織布１は、皮膚と接触する突起エリアＢと陥没エリアＡを有する。
突起エリアＢの俯瞰図は、円型で、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
これにより、皮膚面と接触する突起エリアは、使用者に柔軟で快適な触感を提供でき、またこれにより側縁エリアはより強力な抗圧能力を備えられ、立体不織布の３Ｄ視覚効果を保持できる。
陥没エリアは、開孔構造Ｄを有し、Ｄエリアの面積は２０ｍｍ２より小さく、好ましくは５ｍｍ２より小さく、開孔率は、５０％より小さく、好ましくは、３０％より小さい。
開孔構造の形状は、円形、正方形、長方形等各種幾何図形及びその組合せである。
体液が突起エリアＢ側縁に沿って開孔部位へと流れると、開孔構造Ｄは導流作用を備え、液体を開孔部位から迅速に浸入させることができるため、吸收製品のさらっと性能を高め、液体の迅速な吸收を促進できる。
突起エリアＢと陥没エリアＡの高度差は、０．２ｍｍより大きく、好ましくは、０．３ｍｍより大きい。
【００２４】
繊維密度比のテスト方法：
開孔構造を有する立体不織布１は、平らな不織布に特殊加工を施して形成され、立体不織布１が形成される前の不織布各位置上の繊維数量はすべて相同で、立体不織布１が形成された後は、突起エリアＢ、陥没エリアＡ及び側縁Ｃエリアの繊維密度には変化が生じると考えることができる。
型番号が長方ＸＴＬ-２００である電子顕微鏡を採用し、突起エリアＢの不織布厚みｂ、陥没エリアＡの不織布厚みａと側縁Ｃエリアの不織布厚みｃをそれぞれ測定し、以下の式により、各エリアの繊維密度比を得る。
立体不織布１が形成される前の不織布各位置上の繊維数量をＸとすると、側縁と突起エリアの繊維密度比は
【００２５】
【数１】
0003215637.tif 000003
で、陥没エリアと突起エリアの繊維密度比が
【００２６】
【数２】
0003215637.tif 000004
である。
【００２７】
開孔率の測定方法：
図１に示す通り、型番号が長方ＸＴＬ-２００である電子顕微鏡を採用し、分析エリアの総面積ｍ、分析エリア内開孔エリアＤの面積ｍ１を測定する。
すると、以下のようになる。
【００２８】
【数３】
0003215637.tif 000005
その実現方式一（図１Ｄ、図１Ｅ参照）について説明する。
普通の不織布を、相互に噛み合う一対の凹凸ローラーＭとＮに通す。
その速度は、５-１００ｍ／分である。
凹ローラーＭの温度は設定可能であるため、温度範囲を４０-２００℃とし、凸ローラーＮの温度も設定可能であるため、温度範囲を３０-２００℃とする。
凹ローラーＭ上には、突起ｂと突起の周囲の凹孔ａを有する。
突起ｂの高度範囲は、０．５-４５ｍｍで、凹孔ａの深度は、０．５-５０ｍｍである。
凸ローラーＮ上には、孔ｃと針ｄを有する。
孔ｃの深度は、０．５-５０ｍｍで、針ｄの高度は、０．５-４５ｍｍである。
凹ローラーＭと凸ローラーＮとが噛み合う間隙は調整可能であるため、噛み合う間隙範囲を、０．１-４５ｍｍとする。
凹凸ローラーの噛み合う過程において、不織布は、Ｍローラーの突起ｂとＮローラーの凹孔ｃの圧と熱を受け、突起エリアＢを形成する。
突起ｂは、凹孔ｃ中に入り、突起ｂの底部と凹孔ｃの開孔位置との間の間隙は最小で、不織布は温度と圧力の作用下で、比較的高い密度エリアＡとＣを形成する。
しかも、ｂの底部から頂部まで、間隙は小から大へと徐々に増大し、凹孔ｃの深度は突起ｂの高度よりはるかに大きいため、突起ｂは、凹孔ｃの底部に触れられず、不織布は圧を受けることはない。
こうして、まばらな密度エリアＢを形成し、Ｍローラーの凹孔ａとＮローラーの針先端ｄが刺穿し、及び加熱する状況下で、開孔構造Ｄが形成される。
凹ローラーＭ、凸ローラーＮは相互に噛み合い、伝動機構により伝動される。
凹、凸ローラーＭ、Ｎは加熱ローラーで、加熱温度及び噛み合う間隙は設定可能である。
【００２９】
第二実施形態
図２に示す通り、突起エリアを有し、及び陥没エリアに開孔構造を有する立体不織布１は、表面層１Ａと底層１Ｂを有する。
表面層１Ａは、疎水層である。
皮膚と接触する突起エリアＢと陥没エリアＡを有し、突起エリアＢの俯瞰図は、円型で、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
陥没エリアＡは、開孔構造Ｄを有し、Ｄエリアの面積は、２０ｍｍ２より小さく、好ましくは５ｍｍ２より小さい。
開孔率は、５０％より小さく、好ましくは、３０％より小さい。
突起エリアＢと陥没エリアＡの高度差は、０．２ｍｍより大きく、好ましくは、０．３ｍｍより大きい。
その表面疏水層１Ａが、体液を突起エリアＢへ届けると、突起エリアＡの表面は比較的低いため、体液は突起エリア側縁に沿って開孔部位へと流れ、こうして導流作用を備え、液体を開孔部位から迅速に浸入させることができるため、吸收製品のさらっと性能を高め、液体の迅速な吸收を促進できる。
同時に体液吸收後、突起エリアＢの表面層１Ａは、疎水層で、体液が毛細管作用を通じて、孔を開けた不織布表面に戻るのを阻止し、さっぱりして快適な効果を達成する。
【００３０】
第三実施形態
図３に示す通り、突起エリアを有し、及び陥没エリアに開孔構造を有する立体不織布１は、皮膚と接触する突起エリアＢと陥没エリアＡを有する。
突起エリアＢの俯瞰図はひょうたん形状で、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは２-５倍で、陥没エリアＡの繊維密度は、突起エリアＢの１．５-２０で、好ましくは１．５-３倍である。
陥没エリアは、開孔構造Ｄを有し、Ｄエリアの面積は２０ｍｍ２，より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
突起エリアの形状は、円形、正方形、長方形等各種幾何図形及びその組合せである。
【００３１】
第四実施形態
図４、４Ａ、４Ｂに示す通り、突起エリアを有し、及び陥没エリアに開孔構造を有する立体不織布１は、皮膚と接触する突起エリアＢと陥没エリアＡを有する。
突起エリアＢは、連続平面で、"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
陥没エリアは、開孔構造Ｄを有し、開孔構造Ｄは、陥没エリアＡの表面から底面へと延伸し、Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
陥没エリアの形状は、円形、正方形、長方形等各種幾何図形及びその組合せである。
【００３２】
第五実施形態
図５、５Ａに示す通り、突起エリアを有し、及び陥没エリアに開孔構造を有する立体不織布１は、皮膚と接触する突起エリアＢと陥没エリアＡを有する。
突起エリアＢは、連続平面で、"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
陥没エリアは、開孔構造Ｄを有し、開孔構造Ｄは、陥没エリアＡの底面から、表面へと延伸する。
Ｄエリアの面積は２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００３３】
第六実施形態
図６に示す通り、突起エリアを有し、及び陥没エリアに開孔構造を有する立体不織布１は、皮膚と接触する突起エリアＢと陥没エリアＡを有する。
突起エリアＢは、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアと陥没エリアは、開孔構造Ｄを有し、開孔構造Ｄは、突起エリアＢと陥没エリアＡの表面から底面へと延伸し、Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００３４】
第七実施形態
図７、７Ａ、７Ｂ、７Ｃに示す通り、突起エリアを有し、及び陥没エリアに開孔構造を有する立体不織布１は、皮膚と接触する突起エリアＢと陥没エリアＡを有する。
突起エリアＢは、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアと陥没エリアは、開孔構造Ｄを有し、開孔構造Ｄは、突起構造Ｂと陥没エリアＡの底面から、表面へと延伸する。
Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００３５】
第八実施形態
図８、８Ａ、８Ｂに示す通り、突起エリアを有し、及び陥没エリアに開孔構造を有する立体不織布１は、皮膚と接触する突起エリアＢと陥没エリアＡを有する。
突起エリアＢは"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢと陥没エリアＡは、開孔構造Ｄを有し、開孔構造Ｄは、突起エリアＢと陥没エリアＡの表面から底面へと延伸し、Ｄエリアの面積は、２０ｍｍ２より小さく、好ましくは５ｍｍ２より小さく、開孔率は０％より小さく、好ましくは、３０％より小さい。
突起エリアＢと陥没エリアＡの高度差は、０．２ｍｍより大きく、好ましくは、０．３ｍｍより大きい。
【００３６】
第九実施形態
図９、９Ａ、９Ｂに示す通り、突起エリアを有し、及び陥没エリアに開孔構造を有する立体不織布１は、皮膚と接触する突起エリアＢと陥没エリアＡを有する。
突起エリアＢは"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアと陥没エリアは、開孔構造Ｄを有し、開孔構造Ｄは、突起構造Ｂと陥没エリアＡの底面から表面へと延伸し、Ｄエリアの面積は２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００３７】
第十実施形態
図１０、１０Ａに示す通り、突起エリアを有し、及び陥没エリアに開孔構造を有する立体不織布１は、皮膚と接触する突起エリアＢと陥没エリアＡを有する。
突起エリアＢは、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの表面から底面へと延伸する。
陥没エリアＡは、開孔構造Ｅを有し、開孔構造Ｅは、陥没エリアＡの底面から、表面へと延伸する。
Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００３８】
第十一実施形態
図１１、１１Ａに示す通り、突起エリアを有し、及び陥没エリアに開孔構造を有する立体不織布１は、皮膚と接触する突起エリアＢと陥没エリアＡを有する。
突起エリアＢは"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの底面から、表面へと延伸する。
陥没エリアＡは、開孔構造Ｅを有し、開孔構造Ｅは、陥没エリアＡの表面から、底面へと延伸する。
Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００３９】
第十二実施形態
図１２、１２Ａに示す通り、突起エリアを有し、及び陥没エリアに開孔構造を有する立体不織布１は、皮膚と接触する突起エリアＢと陥没エリアＡを有する。
突起エリアＢは"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの表面から、底面へと延伸する。
陥没エリアＡは、開孔構造Ｅを有し、開孔構造Ｅは、陥没エリアＡの底面から、表面へと延伸する。
Ｄエリアの面積は、２０ｍｍ２より小さく、好ましくは、５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００４０】
第十三実施形態
図１３に示す通り、突起エリアを有し、及び陥没エリアに開孔構造を有する立体不織布１は、皮膚と接触する突起エリアＢと陥没エリアＡを有する。
突起エリアＢは"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの底面から、表面へと延伸する。
陥没エリアＡは、開孔構造Ｅを有し、開孔構造Ｅは、陥没エリアＡの表面から、底面へと延伸する。
Ｄエリアの面積は、２０ｍｍ２より小さく、好ましくは、５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００４１】
第十四実施形態
図１４に示す通り、突起エリアを有し、及び陥没エリアに開孔構造を有する立体不織布１は、皮膚と接触する突起エリアＢと陥没エリアＡを有する。
突起エリアＢは、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの表面から、底面へと延伸する。
陥没エリアには、開孔構造はない。
Ｄエリアの面積は、２０ｍｍ２より小さく、好ましくは、５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００４２】
第十五実施形態
図１５に示す通り、突起エリアを有し、及び陥没エリアに開孔構造を有する立体不織布１は、皮膚と接触する突起エリアＢと陥没エリアＡを有する。
突起エリアＢは、"島"の形式で、陥没エリアＡ中に存在する。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの底面から、表面へと延伸する。
陥没エリアには、開孔構造はない。
Ｄエリアの面積は、２０ｍｍ２より小さく、好ましくは、５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００４３】
第十六実施形態
図１６に示す通り、突起エリアを有し、及び陥没エリアに開孔構造を有する立体不織布１は、皮膚と接触する突起エリアＢと陥没エリアＡを有する。
突起エリアＢは"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの表面から、底面へと延伸する。
陥没エリアには、開孔構造はない。
Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００４４】
第十七実施形態
図１７に示す通り、突起エリアを有し、及び陥没エリアに開孔構造を有する立体不織布１は、皮膚と接触する突起エリアＢと陥没エリアＡを有する。
突起エリアＢは"海"の形式で、陥没エリアＡを取り囲む。
突起エリアＢから陥没エリアＡまでは、均一に移り変わり、突起エリアＢから陥没エリアＡまでは、繊維密度勾配を有し、突起エリアＢから陥没エリアＡへの移り変わりの、陥没エリアＡに近い側縁は、Ｃエリアで、Ｃエリアの繊維密度は、突起エリアＢの１．５-３０倍で、好ましくは１．５-５倍で、陥没エリアＡの繊維密度は、突起エリアＢの１．５-２０倍で、好ましくは１．５-３倍である。
突起エリアＢは、開孔構造Ｄを有し、開孔構造Ｄは、突起エリアＢの底面から、表面へと延伸する。
陥没エリアには、開孔構造はない。
Ｄエリアの面積は、２０ｍｍ２より小さく、好ましくは５ｍｍ２より小さく、開孔率は、５０％より小さく、好ましくは、３０％より小さい。
突起エリアＢと陥没エリアＡの高度差は、０．２ｍｍより大きく、好ましくは、０．３ｍｍより大きい。
【００４５】
上記を総合すると、本考案による突起エリア及び陥没エリアに開孔構造を有する立体不織布は、突起エリアの周囲に交替に分布する開孔構造と、分布する異なる繊維密度、さらに高密度繊維エリアの抗圧性能を通して、明確な凹凸効果を保持し、液体の浸透を加速し、残留を減らすことができる。
【００４６】
前述した本考案の実施形態は本考案を限定するものではなく、よって、本考案により保護される範囲は後述される実用新案登録請求の範囲を基準とする。
【符号の説明】
【００４７】
Ａ  陥没エリア
Ｂ  突起エリア
Ｄ  開孔構造
Ｍ  凹ローラー
Ｎ  凸ローラー
ａ  凹孔
ｂ  突起
ｃ  凹孔
ｄ  針
１  立体不織布
【図１】
0003215637.tif 000006
【図１Ａ】
0003215637.tif 000007
【図１Ｂ】
0003215637.tif 000008
【図１Ｃ】
0003215637.tif 000009
【図１Ｄ】
0003215637.tif 000010
【図１Ｅ】
0003215637.tif 000011
【図２】
0003215637.tif 000012
【図３】
0003215637.tif 000013
【図４】
0003215637.tif 000014
【図４Ａ】
0003215637.tif 000015
【図４Ｂ】
0003215637.tif 000016
【図５】
0003215637.tif 000017
【図５Ａ】
0003215637.tif 000018
【図６】
0003215637.tif 000019
【図６Ａ】
0003215637.tif 000020
【図６Ｂ】
0003215637.tif 000021
【図６Ｃ】
0003215637.tif 000022
【図７】
0003215637.tif 000023
【図７Ａ】
0003215637.tif 000024
【図７Ｂ】
0003215637.tif 000025
【図７Ｃ】
0003215637.tif 000026
【図８】
0003215637.tif 000027
【図８Ａ】
0003215637.tif 000028
【図８Ｂ】
0003215637.tif 000029
【図９】
0003215637.tif 000030
【図９Ａ】
0003215637.tif 000031
【図９Ｂ】
0003215637.tif 000032
【図１０】
0003215637.tif 000033
【図１０Ａ】
0003215637.tif 000034
【図１１】
0003215637.tif 000035
【図１１Ａ】
0003215637.tif 000036
【図１２】
0003215637.tif 000037
【図１２Ａ】
0003215637.tif 000038
【図１３】
0003215637.tif 000039
【図１３Ａ】
0003215637.tif 000040
【図１４】
0003215637.tif 000041
【図１４Ａ】
0003215637.tif 000042
【図１５】
0003215637.tif 000043
【図１５Ａ】
0003215637.tif 000044
【図１６】
0003215637.tif 000045
【図１６Ａ】
0003215637.tif 000046
【図１７】
0003215637.tif 000047
【図１７Ａ】
0003215637.tif 000048